(57)【要約】      （修正有）【課題】複数の液体バッテリセルを封止し、複数のバッテリセルの電極を直列に接続させるためのバッテリ接続モジュールを提供する。【解決手段】バッテリデバイスは、バッテリボックスと、回路基板と、複数の母線と、カバー機構とを備える。複数の母線は、互いに離間されて２列で回路基板の底面に提供され、回路基板と接続している主本体部分と、少なくとも２つの電極接続部分とを有する。カバー機構は、回路基板の底面に提供され、複数の封止ユニットを備える。各封止ユニットは、カバーと、２つの第１の封止部材と、１つの第２の封止部材とを備える。カバーは、２つの開口部を有し、２つの開口部は、２つの対応する電極接続部分にそれぞれ外装され、２つの第１の封止部材は、２つの開口部で、カバーと対応する電極接続部分との間の間隙を液密封止し、第２の封止部材は、対応するチャンバに位置付けられて、カバーとボックス本体との間の間隙を液密封止する。【選択図】図１
2018101617.tif 000002
【特許請求の範囲】
【請求項１】
バッテリ接続モジュールであって、
第１の方向に沿って延在し、回路トレースが提供されている、回路基板と、
互いに離間され、前記回路トレースと電気的に接続して前記回路基板の底面に２列で提供される、複数の母線であって、各列が、前記第１の方向に沿って配設され、各母線が、前記回路基板と接続している主本体部分、及び少なくとも２つの電極接続部分を有する、複数の母線と、
前記回路基板の前記底面に提供され、前記第１の方向に沿って配設される複数の封止ユニットを備えるカバー機構であって、各封止ユニットが、カバー、２つの第１の封止部材、及び１つの第２の封止部材を備え、前記カバーが、前記第１の方向に対して垂直な第２の方向に沿って延在し、該第２の方向に沿って配設される２つの開口部を有し、該２つの開口部が、前記第２の方向に沿って位置付けられ、前記母線の前記２つの列にそれぞれ帰属する、２つの対応する電極接続部分にそれぞれ外装され、前記２つの第１の封止部材が、前記２つの開口部にそれぞれ位置付けられ、各々が、前記カバーと前記電極接続部分との間に間置されて、前記カバーと前記電極接続部分との間の間隙を液密封止し、前記第２の封止部材が、前記カバーの外周に提供される、カバー機構と、を備える、バッテリ接続モジュール。
【請求項２】
各母線の各電極接続部分が、前記回路基板の前記底面から離れて前記主本体部分から突出し、突出ブロックを呈する、請求項１に記載のバッテリ接続モジュール。
【請求項３】
各封止ユニットの各第１の封止部材が、ガスケットの形態で提供され、前記電極接続部分の外周に外装される、請求項２に記載のバッテリ接続モジュール。
【請求項４】
各封止ユニットの前記カバーが、前記回路基板と接続している基部部分と、該基部部分から突出する施栓部分とを更に有し、該施栓部分の外周が、前記基部部分の外周に対して内向きにテーパー状になり、前記開口部が、前記基部部分及び前記施栓部分を貫通する、請求項１に記載のバッテリ接続モジュール。
【請求項５】
各封止ユニットの前記第２の封止部材が、ガスケットの形態で提供され、前記施栓部分の前記外周に外装される、請求項４に記載のバッテリ接続モジュール。
【請求項６】
各封止ユニットの前記カバーが、複数の固定ポストを更に有し、前記回路基板及び前記複数の母線が各々、前記対応する固定ポストを貫通させ、固定するための対応する固定穴を有する、請求項１に記載のバッテリ接続モジュール。
【請求項７】
各母線が、２つの固定穴を有し、各封止ユニットの前記カバーが、該カバーに対して斜めに提供され、前記２つの列にそれぞれ帰属する２つの母線の１つの固定穴を各々が貫通する、２つの固定ポストを有し、各母線の前記２つの固定穴が各々、２つの隣接するカバーのうちの１つのカバーの１つの固定ポストによって貫通される、請求項６に記載のバッテリ接続モジュール。
【請求項８】
前記複数の固定ポストは、各々がホットメルト様式によって、前記固定穴に固定され、ラッチ係合される、請求項６に記載のバッテリ接続モジュール。
【請求項９】
前記複数の封止ユニットの前記カバーが、互いに分離され、各々が、前記回路基板に独立して提供される、請求項１〜８のいずれか１項に記載のバッテリ接続モジュール。
【請求項１０】
バッテリデバイスであって、
ボックス本体及び複数のバッテリセルを有するバッテリボックスであって、前記ボックス本体が、複数のチャンバを画定するために、第１の方向に沿って配設され、互いに離間される、複数の離間壁を有し、前記複数のバッテリセルが、前記複数のチャンバにそれぞれ提供され、各バッテリセルが、バッテリ液及び電極を備える、バッテリボックスと、
バッテリ接続モジュールであって、
前記第１の方向に沿って延在し、回路トレースが提供されている、回路基板と、
互いに離間され、前記回路トレースと電気的に接続して前記回路基板の底面に２列で提供される、複数の母線であって、各列が、前記第１の方向に沿って配設され、各母線が、前記回路基板と接続している主本体部分、及び少なくとも２つの電極接続部分を有し、該電極接続部分が、前記複数のチャンバの前記電極を直列に接続させるように、異なるチャンバの前記電極とそれぞれ接続する、複数の母線と、
前記回路基板の前記底面に提供され、前記第１の方向に沿って配設される複数の封止ユニットを備えるカバー機構であって、前記複数の封止ユニットが、前記複数のチャンバにそれぞれ対応し、各封止ユニットが、カバー、２つの第１の封止部材、及び１つの第２の封止部材を備え、前記カバーが、前記第１の方向に対して垂直な第２の方向に沿って延在し、該第２の方向に沿って配設される２つの開口部を有し、該２つの開口部が、前記第２の方向に沿って位置付けられ、前記母線の前記２つの列にそれぞれ帰属する２つの対応する電極接続部分にそれぞれ外装され、前記２つの第１の封止部材が、前記２つの開口部にそれぞれ位置付けられ、各々が、前記カバーと前記電極接続部分との間に間置されて、前記カバーと前記電極接続部分との間の間隙を液密封止し、前記第２の封止部材が、前記対応するチャンバに位置付けられ、前記カバーと前記ボックス本体との間に間置され、前記カバーと前記ボックス本体との間の間隙を液密封止する、カバー機構とを備える、バッテリ接続モジュールと、を備える、バッテリデバイス。
【請求項１１】
各母線の各電極接続部分が、前記回路基板の前記底面から離れて前記主本体部分から突出し、突出ブロックを呈する、請求項１０に記載のバッテリデバイス。
【請求項１２】
各封止ユニットの各第１の封止部材が、ガスケットの形態で提供され、前記電極接続部分の外周に外装される、請求項１１に記載のバッテリデバイス。
【請求項１３】
各封止ユニットの前記カバーが、前記回路基板と接続している基部部分と、該基部部分から突出する施栓部分とを更に有し、該施栓部分の外周が、前記基部部分の外周に対して内向きにテーパー状になり、前記開口部が、前記基部部分及び前記施栓部分を貫通する、請求項１０に記載のバッテリデバイス。
【請求項１４】
各封止ユニットの前記第２の封止部材が、ガスケットの形態で提供され、前記施栓部分の前記外周に外装される、請求項１３に記載のバッテリデバイス。
【請求項１５】
前記施栓部分は、前記第２の方向に沿って延在し、２つの対向側部に位置付けられ、前記対応するチャンバに向かって突出する２つの側部突出リブを有し、各側部突出リブには、前記第２の方向に沿って延在し、前記基部部分に隣接するラッチチャネルが形成され、各離間壁の頂部分には、２つのラッチ縁部分が形成され、該ラッチ縁部分が、２つの隣接するチャンバに向かってそれぞれ突出して、２つの対応するラッチチャネルの中へそれぞれ進入し、２つの対応する側部突出リブが前記２つのラッチ縁部分とそれぞれラッチ係合し、当接することを可能にする、請求項１４に記載のバッテリデバイス。
【請求項１６】
各側部突出リブには、ラッチ溝が更に形成され、該ラッチ溝は、前記ラッチチャネルから離間され、該ラッチチャネルに対して前記基部部分から離れ、前記第２の封止部材が前記ラッチ溝とラッチ係合することを可能にする、請求項１５に記載のバッテリデバイス。
【請求項１７】
各封止ユニットの前記カバーが、複数の固定ポストを更に有し、前記回路基板及び前記複数の母線が各々、前記対応する固定ポストを貫通させ、固定するための対応する固定穴を有する、請求項１０に記載のバッテリデバイス。
【請求項１８】
各母線が、２つの固定穴を有し、各封止ユニットの前記カバーが、該カバーに対して斜めに提供され、前記２つの列にそれぞれ帰属する２つの母線の１つの固定穴を各々が貫通する、２つの固定ポストを有し、各母線の前記２つの固定穴が各々、２つの隣接するカバーのうちの１つのカバーの１つの固定ポストによって貫通される、請求項１７に記載のバッテリデバイス。
【請求項１９】
前記複数の固定ポストは、各々がホットメルト様式によって、前記固定穴に固定され、ラッチ係合される、請求項１７に記載のバッテリデバイス。
【請求項２０】
各封止ユニットの前記カバーには、前記チャンバと連通することができる第１の液体注入穴が形成され、前記回路基板には、前記複数の封止ユニットの前記第１の液体注入穴にそれぞれ対応する複数の第２の液体注入穴が形成される、請求項１０に記載のバッテリデバイス。
【請求項２１】
前記複数の封止ユニットの前記カバーが、互いに分離され、各々が、前記回路基板に独立して提供される、請求項１０〜２０のいずれか１項に記載のバッテリデバイス。
【発明の詳細な説明】
【技術分野】
【０００１】
本開示は、バッテリ接続モジュールに関し、特に、複数の液体バッテリセル及びバッテリデバイスを電気的に接続し、封止するためのバッテリ接続モジュールに関する。
【背景技術】
【０００２】
現在一般に知られているバッテリデバイスは、複数のバッテリセルによって構成され、バッテリセルの多くは、米国特許出願公開第２０１４／０１２７５５１（Ａ１）号及び同第２０１４／０３５６６６８（Ａ１）号に開示されているように、固体バッテリブロックを使用している。
【０００３】
固体バッテリブロックの構造及び液体バッテリセルの構造には大きな違いがあるので、複数の固体バッテリブロックによって組み立てられたバッテリデバイスと複数の液体バッテリセルによって組み立てられたバッテリデバイスとを比較したとき、これらの２つのバッテリデバイスは、組み立て構造及び電極接続構造の設計の全てにおいて異なる。しかしながら、以前に開示された特許文献の大部分は、固体バッテリブロックに関する組み立て技術について使用されているので、どのようにして液体バッテリセルの組み立てをより好都合にするのか、及び封止効果をより良好にするのかについて、依然として開発の余地がある。
【発明の概要】
【課題を解決するための手段】
【０００４】
したがって、本開示の１つの目的は、複数の液体バッテリセルを封止し、複数のバッテリセルの電極を直列に接続させるためのバッテリ接続モジュールを提供することである。
【０００５】
したがって、本開示の別の目的は、複数の液体バッテリセルを有し、かつ良好な封止を有するバッテリデバイスを提供することである。
【０００６】
故に、いくつかの実施形態において、本開示のバッテリ接続モジュールは、回路基板と、複数の母線と、カバー機構とを備える。回路基板は、第１の方向に沿って延在し、回路トレースが提供されている。複数の母線は、互いに離間されて、回路トレースと電気的に接続して回路基板の底面に２列で提供され、各列は、第１の方向に沿って配設され、各母線は、回路基板と接続している主本体部分と、少なくとも２つの電極接続部分とを有する。カバー機構は、回路基板の底面に提供され、第１の方向に沿って配設される複数の封止ユニットを備え、各封止ユニットは、カバーと、２つの第１の封止部材と、１つの第２の封止部材とを備え、カバーは、第１の方向に対して垂直な第２の方向に沿って延在し、第２の方向に沿って配設される２つの開口部を有し、２つの開口部は、第２の方向に沿って位置付けられ、母線の２つの列にそれぞれ帰属する２つの対応する電極接続部分にそれぞれ外装され、２つの第１の封止部材は、２つの開口部にそれぞれ位置付けられ、各々が、カバーと電極接続部分との間に間置されて、カバーと電極接続部分との間の間隙を液密封止し、第２の封止部材は、カバーの外周に提供される。
【０００７】
いくつかの実施形態において、各母線の各電極接続部分は、回路基板の底面から離れて主本体部分から突出し、突出ブロックを呈する。
【０００８】
いくつかの実施形態において、各封止ユニットの各第１の封止部材は、ガスケットの形態で提供され、電極接続部分の外周に外装される。
【０００９】
いくつかの実施形態において、各封止ユニットのカバーは、回路基板と接続している基部部分と、基部部分から突出する施栓部分とを更に有し、施栓部分の外周は、基部部分の外周に対して内向きにテーパー状になり、開口部は、基部部分及び施栓部分を貫通する。
【００１０】
いくつかの実施形態において、各封止ユニットの第２の封止部材は、ガスケットの形態で提供され、施栓部分の外周に外装される。
【００１１】
いくつかの実施形態において、各封止ユニットのカバーは、複数の固定ポストを更に有し、回路基板及び複数の母線は各々、対応する固定ポストを貫通させ、固定するための対応する固定穴を有する。
【００１２】
いくつかの実施形態において、各母線は、２つの固定穴を有し、各封止ユニットのカバーは、カバーに対して斜めに提供され、２つの列にそれぞれ帰属する２つの母線の１つの固定穴を各々が貫通する、２つの固定ポストを有し、各母線の２つの固定穴は各々、２つの隣接するカバーのうちの１つのカバーの１つの固定ポストによって貫通される。
【００１３】
いくつかの実施形態において、複数の固定ポストは、各々がホットメルト様式によって、固定穴に固定され、ラッチ係合される。
【００１４】
いくつかの実施形態において、複数の封止ユニットのカバーは、互いに分離され、各々が回路基板に独立して提供される。
【００１５】
いくつかの実施形態において、回路基板の回路トレースは、回路基板の底面に提供され、複数の母線の主本体部分は、回路トレースに溶接される。
【００１６】
故に、いくつかの実施形態において、本開示バッテリデバイスのバッテリデバイスは、バッテリボックスと、バッテリ接続モジュールとを備える。バッテリボックスは、ボックス本体と、複数のバッテリセルとを有し、ボックス本体は、複数のチャンバを画定するために、第１の方向に沿って配設され、互いに離間される複数の離間壁を有し、複数のバッテリセルは、複数のチャンバにそれぞれ提供され、各バッテリセルは、バッテリ液と、電極とを備える。バッテリ接続モジュールは、回路基板と、複数の母線と、カバー機構とを備える。回路基板は、第１の方向に沿って延在し、回路トレースが提供されている。複数の母線は、互いに離間されて、回路トレースと電気的に接続して回路基板の底面に２列で提供され、各列は、第１の方向に沿って配設され、各母線は、回路基板と接続している主本体部分と、少なくとも２つの電極接続部分とを有し、電極接続部分は、複数チャンバの電極を直列に接続させるように、異なるチャンバの電極とそれぞれ接続している。カバー機構は、回路基板の底面に提供され、第１の方向に沿って配設される複数の封止ユニットを備え、複数の封止ユニットは、複数のチャンバにそれぞれ対応し、各封止ユニットは、カバーと、２つの第１の封止部材と、１つの第２の封止部材とを備え、カバーは、第１の方向に対して垂直な第２の方向に沿って延在し、第２の方向に沿って配設される２つの開口部を有し、２つの開口部は、第２の方向に沿って位置付けられ、母線の２つの列にそれぞれ帰属する２つの対応する電極接続部分にそれぞれ外装され、２つの第１の封止部材は、２つの開口部にそれぞれ位置付けられ、各々が、カバーと電極接続部分との間に間置されて、カバーと電極接続部分との間の間隙を液密封止し、第２の封止部材は、対応するチャンバに位置付けられ、カバーとボックス本体との間に間置されて、カバーとボックス本体との間の間隙を液密封止する。
【００１７】
いくつかの実施形態において、各母線の各電極接続部分は、回路基板の底面から離れて主本体部分から突出し、突出ブロックを呈する。
【００１８】
いくつかの実施形態において、各封止ユニットの各第１の封止部材は、ガスケットの形態で提供され、電極接続部分の外周に外装される。
【００１９】
いくつかの実施形態において、各封止ユニットのカバーは、回路基板と接続している基部部分と、基部部分から突出する施栓部分とを更に有し、施栓部分の外周は、基部部分の外周に対して内向きにテーパー状になり、開口部は、基部部分及び施栓部分を貫通する。
【００２０】
いくつかの実施形態において、各封止ユニットの第２の封止部材は、ガスケットの形態で提供され、施栓部分の外周に外装される。
【００２１】
いくつかの実施形態において、施栓部分は、第２の方向に沿って延在し、２つの対向側部に位置付けられ、対応するチャンバに向かって突出する２つの側部突出リブを有し、各側部突出リブには、第２の方向に沿って延在し、基部部分に隣接するラッチチャネルが形成され、各離間壁の頂部分には、２つのラッチ縁部分が形成され、該ラッチ縁部分は、２つの隣接するチャンバに向かってそれぞれ突出して、２つの対応するラッチチャネルの中へそれぞれ進入し、２つの対応する側部突出リブが２つのラッチ縁部分とそれぞれラッチ係合し、当接することを可能にする。
【００２２】
いくつかの実施形態において、各側部突出リブには、ラッチ溝が更に形成され、該ラッチ溝は、ラッチチャネルから離間され、ラッチチャネルに対して基部部分から離れ、第２の封止部材がラッチ溝とラッチ係合することを可能にする。
【００２３】
いくつかの実施形態において、各封止ユニットのカバーは、複数の固定ポストを更に有し、回路基板及び複数の母線は各々、対応する固定ポストを貫通させ、固定するための対応する固定穴を有する。
【００２４】
いくつかの実施形態において、各母線は、２つの固定穴を有し、各封止ユニットのカバーは、カバーに対して斜めに提供され、２つの列にそれぞれ帰属する２つの母線の１つの固定穴を各々が貫通する、２つの固定ポストを有し、各母線の２つの固定穴は各々、２つの隣接するカバーのうちの１つのカバーの１つの固定ポストによって貫通される。
【００２５】
いくつかの実施形態において、複数の固定ポストは、各々がホットメルト様式によって、固定穴に固定され、ラッチ係合される。
【００２６】
いくつかの実施形態において、各封止ユニットのカバーには、チャンバと連通することができる第１の液体注入穴が形成され、回路基板には、複数の封止ユニットの第１の液体注入穴にそれぞれ対応する複数の第２の液体注入穴が形成される。
【００２７】
いくつかの実施形態において、複数の封止ユニットのカバーは、互いに分離され、各々が回路基板に独立して提供される。
【００２８】
いくつかの実施形態において、回路基板の回路トレースは、回路基板の底面に提供され、複数の母線の主本体部分は、回路トレースに溶接される。
【００２９】
本開示は、少なくとも以下の効果、すなわち、バッテリ接続モジュールは、モジュールとして前もって組み立てることができること、また、回路基板上に母線及びカバー機構を組み込むこと、バッテリ接続モジュール及びバッテリボックスの組み立て過程がより単純で、より好都合で、より操作し易いこと、バッテリ液を確実に封止することができること、及びバッテリボックスにおいて複数の電極を電気的に接続させることができること、を有する。
【図面の簡単な説明】
【００３０】
本開示の他の特徴及び効果は、添付図面と組み合わせて、実施形態を通して明らかになるであろう。
【００３１】
【図１】本開示のバッテリデバイスの一実施形態の斜視図である。
【図２】バッテリ接続モジュールとバッテリボックスとの組み立て関係を例示する実施形態の斜視分解図である。
【図３】カバー機構と回路基板との組み立て関係及びバッテリ接続モジュールの複数の母線を例示する実施形態の斜視分解図である。
【図４】回路基板と複数の母線との組み立て関係を例示する実施形態の斜視分解図である。
【図５】カバー機構と対応する母線の各封止ユニットとの組み立て関係を例示する実施形態の斜視分解図である。
【図６】バッテリ接続モジュールとバッテリボックスとの組み立て関係を例示する実施形態の斜視断面図である。
【図７】実施形態の上面図である。
【図８】図７の線ＶＩＩＩ−ＶＩＩＩに沿って切断した断面図である。
【図９】図８の部分拡大図である。
【図１０】ホットメルトされる前の、バッテリ接続モジュールのカバー機構の固定ポストと回路基板及び母線との組み立て関係を例示する実施形態の斜視分解図である。
【図１１】図１０が組み立てられた後の上面図である。
【図１２】図１１の線ＸＩＩ−ＸＩＩに沿って切断した断面図である。
【図１３】図１２の部分拡大図である。
【符号の説明】
【００３２】
参照番号は、以下のように表されている。
【００３３】
１  バッテリボックス
１１  ボックス本体
１１１  離間壁
１１２  チャンバ
１１３  ラッチ縁部分
１２  バッテリセル
１２１  電極
２  バッテリ接続モジュール
３  回路基板
３１  回路トレース
３１１  はんだ付けパッド
３２  固定穴
３３  第２の液体注入穴
４  母線
４’  母線
４１  主本体部分
４２  電極接続部分
４２１  陥凹溝
４３  固定穴
４４  外側接続部分
５  カバー機構
５１  封止ユニット
５２  カバー
５２１  開口部
５２２  基部部分
５２３  施栓部分
５２４  側部突出リブ
５２５  ラッチチャネル
５２６  ラッチ溝
５２７  固定ポスト
５２８  第１の液体注入穴
５３  第１の封止部材
５４  第２の封止部材
６  ねじ
Ｄ１  第１の方向
Ｄ２  第２の方向
【発明を実施するための形態】
【００３４】
図１及び図２を参照すると、本開示のバッテリデバイスの一実施形態は、バッテリボックス１と、バッテリ接続モジュール２とを備える。バッテリボックス１は、ボックス本体１１と、複数のバッテリセル１２とを有する。ボックス本体１１は、複数のチャンバ１１２を画定するために、第１の方向Ｄ１に沿って配設され、互いに離間される複数の離間壁１１１を有し、複数のバッテリセル１２は、複数のチャンバ１１２にそれぞれ提供され、各バッテリセル１２は、バッテリ液（図示せず）と、電極１２１（一般に、正極及び負極である）とを備える。
【００３５】
図３〜図６を参照すると、バッテリ接続モジュール２は、回路基板３と、複数の母線４と、カバー機構５とを備える。回路基板３は、第１の方向Ｄ１に沿って延在し、回路トレース３１が提供されている。回路基板３は、プリント回路基板、又は任意の既知の埋め込み、エッチング、めっきなどによって提供される回路トレース３１を有する絶縁基板とすることができ、回路基板３はまた、電気的要素、センサ、ヒューズ、コネクタ等の様々な構成要素が追加的に提供されてもよい。本実施形態において、回路トレース３１は、複数の母線４と接続するための、回路基板３の底面に提供される複数のはんだ付けパッド３１１を備える。
【００３６】
複数の母線４は、互いに離間され、回路とレース３１と電気的に接続して回路基板３の底面に２列で提供され、各列は、第１の方向Ｄ１に沿って配設される。各母線４は、回路基板３と接続している主本体部分４１と、主本体部分４１から突出する少なくとも２つの電極接続部分４２とを有する。複数の電極接続部分４２は、複数のチャンバ１１２の電極１２１を直列に接続させるように、異なるチャンバ１１２の電極１２１とそれぞれ接続している。本実施形態において、各母線４は、２つの電極接続部分４２を有し、２つの列の母線４の位置は、第１の方向Ｄ１に対して垂直な第２の方向Ｄ２に千鳥状にされ、よって、複数のバッテリセル１２を直列に接続させるように、一方の列の各母線４の２つの電極接続部分４２の２つの位置は、第２の方向Ｄ２のもう一方の列の２つの隣接する母線４の２つの隣接する電極接続部分４２の２つの部分にそれぞれ対応する。変更した一実施形態において、各母線４はまた、いくつかのバッテリセル１２を並列に接続させ、いくつかのバッテリセル１２を直列に接続させるように、２つを超える電極接続部分４２も有することができる。本実施形態において、列に配設された複数の母線４の２つの端部は各々、１つの電極接続部分４２だけを有する１つの母線４’が提供され、各母線４’は、外側導線（図示せず）と接続するように、主本体部分４１から延在する外側接続部分４４を更に有する。本実施形態において、各母線４は、銅系金属、アルミニウム系金属などの、同じ材料から作製される。しかしながら、変更した一実施形態において、母線４の電極接続部分４２は、例えば図５に示されるように、異なる材料で作製することができ、想像線Ｌに対する母線４の２つの側部は、アルミニウム系金属及び銅系金属からそれぞれ作製することができる。更に、本実施形態において、複数の母線４の主本体部分４１は、回路トレース３１に溶接され、各母線４の各電極接続部分４２は、回路基板３の底面から離れて主本体部分４１から突出し、突出ブロックを呈する。各電極接続部分４２は、電極１２１と接続するための陥凹溝４２１を有する。他の実施形態において、電極接続部分４２の構造及び形状は、電極１２１の構造及び形状と適合させるように変化させることができる。
【００３７】
カバー機構５は、回路基板３の底面に提供され、第１の方向Ｄ１に沿って配設される複数の封止ユニット５１を備え、複数の封止ユニット５１は、複数のチャンバ１１２にそれぞれ対応する。各封止ユニット５１は、カバー５２と、２つの第１の封止部材５３と、１つの第２の封止部材５４とを備える。カバー５２は、プラスチック材料、好ましくは例えばポリエステル材料などの絶縁材料から作製される。第１の封止部材５３及び第２の封止部材５４は各々、ゴム材料などの、圧縮弾性的に変形することができる材料から製造される。カバー５２は、第２の方向Ｄ２に沿って延在し、第２の方向Ｄ２に沿って配設される２つの開口部５２１を有する。図６〜図９を参照すると、２つの開口部５２１は、第２の方向Ｄ２に沿って位置付けられ、母線４の２つの列にそれぞれ帰属する２つの対応する第１の封止部材５３にそれぞれ外装され、２つの第１の封止部材５３は、２つの開口部５２１にそれぞれ位置付けられ、各々が、カバー５２と対応する電極接続部分４２との間に間置されて、カバー５２と対応する電極接続部分４２との間の間隙を液密封止し、第２の封止部材５４は、チャンバ１１２に位置付けられ、カバー５２とボックス本体１１との間に間置されて、カバー５２とボックス本体１１との間の間隙を液密封止する。
【００３８】
図５も組み合わせて参照すると、本実施形態において、各封止ユニット５１のカバー５２は、回路基板３と接続している基部部分５２２と、基部部分５２２から突出する施栓部分５２３とを更に有し、施栓部分５２３の外周は、基部部分５２２の外周に対して内向きにテーパー状になり、複数の開口部５２１は、基部部分５２２及び施栓部分５２３を貫通する。各封止ユニット５１の各第１の封止部材５３は、ガスケットの形態で提供され、対応する電極接続部分４２の外周に外装される。各封止ユニット５１の第２の封止部材５４は、ガスケットの形態で提供され、施栓部分５２３の外周に外装される。施栓部分５２３は、第２の方向Ｄ２に沿って延在し、２つの対向側部に位置付けられ、チャンバ１１２に向かって突出する２つの側部突出リブ５２４を有し、各側部突出リブ５２４には、第２の方向Ｄ２に沿って延在し、基部部分５２２に隣接するラッチチャネル５２５が形成される。各離間壁１１１の頂部分には、２つの隣接チャンバ１１２に向かってそれぞれ突出する２つのラッチ縁部分１１３が形成され、よって、２つの対応するラッチチャネル５２５の中へそれぞれ進入して、２つの側部突出リブ５２４が、２つのラッチ縁部分１１３とそれぞれラッチ係合し、当接することを可能にし、したがって、カバー５２及びボックス本体１１は、より安定的に係合される。更に、各側部突出リブ５２４には、ラッチ溝５２６が更に形成され、該ラッチ溝は、ラッチチャネル５２５から離間され、ラッチチャネル５２５に対して基部部分５２２から離れ、第２の封止部材５４がラッチ溝５２６と係合することを可能にし、したがって、カバー５２がボックス本体１１を覆ったときに、施栓部分５２３がチャンバ１１２に接続され、離間壁１１１のラッチ縁部分１１３が施栓部分５２３の側部突出リブ５２４とラッチ係合し、当接し、第２の封止部材５４がラッチ縁部分１１３より下側に位置付けられ、これは、より良好な封止効果を有することができる。それによって、複数の封止ユニット５１は、複数のチャンバ１１２を封止して、各チャンバ１１２のバッテリ液が漏出するのを防止することができる。
【００３９】
図１０〜図１３を参照すると、各封止ユニット５１のカバー５２は、基部部分５２２から突出する複数の固定ポスト５２７を更に有し、複数の固定ポスト５２７及び施栓部分５２３は、基部部分５２２の２つの対向側部に位置付けられる。回路基板３及び複数の母線４の主本体部分４１は、回路基板３と、母線４と、カバー５２との間の固定を強化するために、固定ポスト５２７を貫通させ、固定するための固定ポスト５２７に対応する固定穴３２と、固定穴４３とをそれぞれ有する。図１０〜図１３は、複数の固定ポスト５２７がホットメルトされる前の状態を例示し、本実施形態において、複数の固定ポスト５２７は、ホットメルト様式によって対応する固定穴３２に固定され、ラッチ係合され、図９を参照すると、図９は、固定ポスト５２７がホットメルトされ、固定穴３２に固定され、ラッチ係合された後の状態を例示する。本実施形態において、複数の封止ユニット５１のカバー５２は、互いに分離され、各々が回路基板３に独立して提供されるが、変更した一実施形態において、複数の封止ユニット５１のカバー５２はまた、一体的に形成し、一緒に接続することもでき、よって、本実施形態に限定されないことに留意されたい。図１０に示されるように、本実施形態において、各母線４は、２つの固定穴４３を有し、各カバー５２は、斜めに提供される２つの固定ポスト５２７を有し、すなわち、各カバー５２の２つの固定ポスト５２７が、２つの母線４の２つの固定穴４３をそれぞれ貫通し、換言すれば、母線４の２つの固定穴４３が各々、２つの隣接するカバー５２のうちの１つのカバー５２の１つの固定ポスト５２７によって貫通される。
【００４０】
図１〜図３を再度参照すると、各封止ユニット５１のカバー５２には、チャンバ１１２と連通することができる第１の液体注入穴５２８が形成され、回路基板３には、複数の封止ユニット５１の第１の液体注入穴５２８にそれぞれ対応する、複数の第２の液体注入穴３３が形成され、各チャンバ１１２と連通している第１の液体注入穴５２８及び第２の液体注入穴３３によって、バッテリ液（一般に、電解液である）を注入し、バッテリ液が注入された後、第１の液体注入穴５２８及び第２の液体注入穴３３は栓（図示される）又は他の手段によって封止される。
【００４１】
バッテリ接続モジュール２は、前もって組み立てられ、次いで、バッテリボックス１と共に組み立てられる。バッテリ接続モジュール２がバッテリボックス１を覆うのであれば、バッテリ接続モジュール２がバッテリボックス１と共に組み立てられたときに、次いで、ねじ６で四隅を締め付けて、バッテリ接続モジュール２及びバッテリボックス１を係合し、固定することができる。バッテリ接続モジュール２及びバッテリボックス１を組み立てた後に、第１の液体注入穴５２８及び第２の液体注入穴３３を介してバッテリ液が注入され、最後に、第１の液体注入穴５２８及び第２の液体注入穴３３が封止される。したがって、バッテリ接続モジュール２及びバッテリボックス１の組み立て過程は、単純かつ容易に操作することができる。
【００４２】
結論として、バッテリ接続モジュール２は、モジュールとして前もって組み立てることができ、母線４、４’及びカバー機構５を回路基板３に組み込み、バッテリ接続モジュール２及びバッテリボックス１の組み立て過程は、より単純で、より好都合で、より操作し易く、バッテリ液を確実に封止することができ、また、バッテリボックス１において複数の電極１２１を電気的に接続させることができる。
【００４３】
しかしながら、上の説明は、本開示の実施形態に対してだけ行われ、本開示を実施する範囲を制限することを意図しておらず、本開示の範囲及び本明細書の内容に従う任意の単純な同等の変更及び修正は、本開示の特許請求の範囲の範囲に帰属する。
【図１】
2018101617.tif 000003
【図２】
2018101617.tif 000004
【図３】
2018101617.tif 000005
【図４】
2018101617.tif 000006
【図５】
2018101617.tif 000007
【図６】
2018101617.tif 000008
【図７】
2018101617.tif 000009
【図８】
2018101617.tif 000010
【図９】
2018101617.tif 000011
【図１０】
2018101617.tif 000012
【図１１】
2018101617.tif 000013
【図１２】
2018101617.tif 000014
【図１３】
2018101617.tif 000015